【手続補正書】
【提出日】平成17年9月20日(2005.9.20)
【手続補正１】
【補正対象書類名】明細書
【補正対象項目名】特許請求の範囲
【補正方法】変更
【補正の内容】
【特許請求の範囲】
【請求項１】  撮影系のファインダ視野内に複数の測距点を持つ自動焦点調節手段と、
撮影画像を再生可能な表示手段と、を有し、
撮影後、合焦した測距点付近の画像を表示手段の画面全体に表示することを特徴とする撮像装置。
【請求項２】  撮影系のファインダ視野内に複数の測距点を持つ自動焦点調節手段と、
前記複数の測距点を自動で選択する自動選択モードと前記複数の測距点を手動により選択する手動選択モードとを切り替える第１の操作部材と、
前記第１の操作部材により手動選択モードが選ばれたときに前記複数の測距点から任意の測距点を選択可能な第２の操作部材と、
撮影画像を再生可能な表示手段と、を有し、
前記第１の操作部材により前記自動選択モードが選択された場合は、撮影後、自動選択された測距点付近の画像を表示手段の画面全体に表示し、
前記第１の操作部材により前記手動選択モードが選択された場合は、撮影後、前記第２の操作部材で選択された測距点付近の画像を表示手段の画面全体に表示することを特徴とする撮像装置。
【請求項３】  カメラのファインダ視野内を覗く撮影者の注視方向を検出する視線検出手段と、
撮影系のファインダ視野内に複数の測距点を持つ自動焦点調節手段と、
前記複数の測距点を自動で選択する自動選択モードと前記複数の測距点を手動により選択する手動選択モードとを切り替える第１の操作部材と、
前記第１の操作部材により手動選択モードが選ばれたときに前記複数の測距点から任意の測距点を選択可能な第２の操作部材と、
前記第１の操作部材と前記第２の操作部材の設定に関わらず、前記視線検出手段を有効にし、前記複数の測距点を前記視線検出手段で得られる視線情報に基づいて選択する視線選択モードとする第３の操作部材と、
撮影画像を再生可能な表示手段と、を有し、
前記視線検出手段が無効でかつ前記第１の操作部材により前記自動選択モードが選択された場合は、撮影後、自動選択された測距点付近の画像を表示手段の画面全体に表示し、
前記視線検出手段が無効でかつ前記第１の操作部材により前記手動選択モードが選択された場合は、撮影後、前記第２の操作部材で選択された測距点付近の画像を表示手段の画面全体に表示し、
前記第３の操作部材により前記視線検出手段が有効で視線選択モードが選択された場合は、撮影後、視線選択された測距点付近の画像を表示手段の画面全体に表示することを特徴とする撮像装置。
【請求項４】  撮影画像を一時的に格納するための記憶手段と、
前記記憶手段に格納されている画像を保存するための記録媒体と、
前記表示手段に合焦した測距点付近の画像が表示されているときにその撮影画像を消去するための消去手段と、を有し、
前記消去手段により撮影画像が消去されなかったときは前記記憶手段に格納されている撮影画像を前記記録媒体に転送することを特徴とする請求項１〜３のいずれか１項に記載の撮像装置。
【請求項５】  撮影画像を一時的に格納するための記憶手段と、
前記記憶手段に格納されている画像を保存するための記録媒体と、
前記記憶手段に格納されている撮影画像から、合焦した測距点付近を表示手段の画面サイズに切り出す画像処理手段と、を有し、
切り出した画像を前記記録媒体に撮影画像と関連付けて保存することを特徴とする請求項１〜３のいずれか１項に記載の撮像装置。
【請求項６】  撮影系のファインダ視野内に複数の測距点を持つ自動焦点調節手段と、
前記複数の測距点を自動で選択する自動選択モードと前記複数の測距点を手動により選択する手動選択モードとを切り替える第１の操作部材と、
前記第１の操作部材により手動選択モードが選ばれたときに前記複数の測距点から任意の測距点を選択可能な第２の操作部材と、
測光、測距等の撮影準備動作を行うレリーズスイッチの最初のストロークでオンする第１ストロークスイッチと、
前記第１ストロークスイッチがオンした後、撮影を行う次の第２ストロークスイッチと、
撮影画像を再生可能な表示手段と、を有し、
前記第１の操作部材により前記自動選択モードが選択された状態で前記第１ストロークスイッチがオンされると、自動選択された測距点付近の画像が表示手段の画面全体に表示され、さらに続けて、前記第２ストロークスイッチがオンされると撮影が行われ、
前記第１の操作部材により前記手動選択モードが選択された状態で、前記第１ストロークスイッチがオンされると、前記第２の操作部材で選択された測距点付近の画像が表示手段の画面全体に表示され、さらに続けて、前記第２ストロークスイッチがオンされると撮影が行われることを特徴とする撮像装置。
【請求項７】  カメラのファインダ視野内を覗く撮影者の注視方向を検出する視線検出手段と、
撮影系のファインダ視野内に複数の測距点を持つ自動焦点調節手段と、
前記複数の測距点を自動で選択する自動選択モードと前記複数の測距点を手動により選択する手動選択モードとを切り替える第１の操作部材と、
前記第１の操作部材により手動選択モードが選ばれたときに前記複数の測距点から任意の測距点を選択可能な第２の操作部材と、
前記第１の操作部材と前記第２の操作部材の設定に関わらず、前記視線検出手段を有効にし、前記複数の測距点を前記視線検出手段で得られる視線情報に基づいて選択する視線選択モードとする第３の操作部材と、
測光、測距等の撮影準備動作を行うレリーズスイッチの最初のストロークでオンする第１ストロークスイッチと、
前記第１ストロークスイッチがオンした後、撮影を行う次の第２ストロークスイッチと、
撮影画像を再生可能な表示手段と、を有し、
前記視線検出手段が無効でかつ前記第１の操作部材により前記自動選択モードが選択された状態で、前記第１ストロークスイッチがオンされると、自動選択された測距点付近の画像が表示手段の画面全体に表示され、さらに続けて、前記第２ストロークスイッチがオンされると撮影が行われ、
前記視線検出手段が無効でかつ前記第１の操作部材により前記手動選択モードが選択された状態で、前記第１ストロークスイッチがオンされると、前記第２の操作部材で選択された測距点付近の画像が表示手段の画面全体に表示され、さらに続けて、前記第２ストロークスイッチがオンされると撮影が行われ、
前記第３の操作部材により前記視線検出手段が有効で視線選択モードが選択された状態で、前記第１ストロークスイッチがオンされると、視線選択された測距点付近の画像が表示手段の画面全体に表示され、さらに続けて、前記第２ストロークスイッチがオンされると撮影が行われることを特徴とする撮像装置。
【請求項８】  撮影画像を表示可能な表示手段を持ち、脱着可能な記録媒体に撮影画像を記録するようにした撮像装置であって、
前記記録媒体に撮影画像を記録する以前に、表示手段において画像を確認し得るようにしたことを特徴とする撮像装置。
【請求項９】  表示手段に表示された画像に合焦位置をインポーズするようにしたことを特徴とする請求項８に記載の撮像装置。
【請求項１０】  合焦位置を中心にして表示手段に拡大表示し得るようにしたことを特徴とする請求項８または９に記載の撮像装置。
【請求項１１】  撮影画像を一時蓄積する内蔵画像メモリを有することを特徴とする請求項８に記載の撮像装置。
【請求項１２】  記録媒体に撮影画像を記録する際、その合焦位置に関する情報を同時に記録することを特徴とする請求項８に記載の撮像装置。
【請求項１３】  記録媒体から撮影画像を読み出し、再生表示し得るようにしたことを特徴とする請求項８に記載の撮像装置。
【請求項１４】  記録媒体から撮影画像を読み出し、再生表示するとき同時に、合焦位置に関する情報を読み出し、表示画像に合焦位置を表示し得るようにしたことを特徴とする請求項１３に記載の撮像装置。
【請求項１５】  撮影系のファインダ視野内に複数の測距点を持つ自動焦点調節工程と、
撮影画像を再生可能な表示工程と、を有し、
撮影後、合焦した測距点付近の画像を表示手段の画面全体に表示することを特徴とする撮像方法。
【請求項１６】  撮影系のファインダ視野内に複数の測距点を持つ自動焦点調節工程と、
前記複数の測距点を自動で選択する自動選択モードと前記複数の測距点を手動により選択する手動選択モードとを切り替える第１の操作工程と、
前記第１の操作工程により手動選択モードが選ばれたときに前記複数の測距点から任意の測距点を選択可能な第２の操作工程と、
撮影画像を再生可能な表示工程と、を有し、
前記第１の操作工程により前記自動選択モードが選択された場合は、撮影後、自動選択された測距点付近の画像を表示手段の画面全体に表示し、
前記第１の操作工程により前記手動選択モードが選択された場合は、撮影後、前記第２の操作工程で選択された測距点付近の画像を表示手段の画面全体に表示することを特徴とする撮像方法。
【請求項１７】  カメラのファインダ視野内を覗く撮影者の注視方向を検出する視線検出工程と、
撮影系のファインダ視野内に複数の測距点を持つ自動焦点調節工程と、
前記複数の測距点を自動で選択する自動選択モードと前記複数の測距点を手動により選択する手動選択モードとを切り替える第１の操作工程と、
前記第１の操作工程により手動選択モードが選ばれたときに前記複数の測距点から任意の測距点を選択可能な第２の操作工程と、
前記視線検出工程を有効にし、前記複数の測距点を前記視線検出工程で得られる視線情報に基づいて選択する視線選択モードとする第３の操作工程と、
撮影画像を再生可能な表示工程と、を有し、
前記視線検出工程が無効でかつ前記第１の操作工程により前記自動選択モードが選択された場合は、撮影後、自動選択された測距点付近の画像を表示手段の画面全体に表示し、
前記視線検出工程が無効でかつ前記第１の操作工程により前記手動選択モードが選択された場合は、撮影後、前記第２の操作工程で選択された測距点付近の画像を表示手段の画面全体に表示し、
前記第３の操作工程により前記視線検出工程が有効で視線選択モードが選択された場合は、撮影後、視線選択された測距点付近の画像を表示手段の画面全体に表示することを特徴とする撮像方法。
【請求項１８】  撮影系のファインダ視野内に複数の測距点を持つ自動焦点調節工程と、
前記複数の測距点を自動で選択する自動選択モードと前記複数の測距点を手動により選択する手動選択モードとを切り替える第１の操作工程と、
前記第１の操作工程により手動選択モードが選ばれたときに前記複数の測距点から任意の測距点を選択可能な第２の操作工程と、
第１ストロークスイッチがレリーズスイッチの最初のストロークでオンし、測光、測距等の撮影準備動作を行う工程と、
前記第１ストロークスイッチがオンした後、次の第２ストロークスイッチで撮影を行う工程と、
撮影画像を再生可能な表示工程と、を有し、
前記第１の操作部材により前記自動選択モードが選択された状態で前記第１ストロークスイッチがオンされると、自動選択された測距点付近の画像が表示手段の画面全体に表示され、さらに続けて、前記第２ストロークスイッチがオンされると撮影が行われ、
前記第１の操作工程により前記手動選択モードが選択された状態で、前記第１ストロークスイッチがオンされると、前記第２の操作工程で選択された測距点付近の画像が表示手段の画面全体に表示され、さらに続けて、前記第２ストロークスイッチがオンされると撮影が行われることを特徴とする撮像方法。
【請求項１９】  カメラのファインダ視野内を覗く撮影者の注視方向を検出する視線検出工程と、
撮影系のファインダ視野内に複数の測距点を持つ自動焦点調節工程と、
前記複数の測距点を自動で選択する自動選択モードと前記複数の測距点を手動により選択する手動選択モードとを切り替える第１の操作工程と、
前記第１の操作工程により手動選択モードが選ばれたときに前記複数の測距点から任意の測距点を選択可能な第２の操作工程と、
前記視線検出工程を有効にし、前記複数の測距点を前記視線検出工程で得られる視線情報に基づいて選択する視線選択モードとする第３の操作工程と、
第１ストロークスイッチがレリーズスイッチの最初のストロークでオンし、測光、測距等の撮影準備動作を行う工程と、
前記第１ストロークスイッチがオンした後、次の第２ストロークスイッチが撮影を行う工程と、
撮影画像を再生可能な表示工程と、を有し、
前記視線検出工程が無効でかつ前記第１の操作工程により前記自動選択モードが選択された状態で、前記第１ストロークスイッチがオンされると、自動選択された測距点付近の画像が表示手段の画面全体に表示され、さらに続けて、前記第２ストロークスイッチがオンされると撮影が行われ、
前記視線検出工程が無効でかつ前記第１の操作工程により前記手動選択モードが選択された状態で、前記第１ストロークスイッチがオンされると、前記第２の操作工程で選択された測距点付近の画像が表示手段の画面全体に表示され、さらに続けて、前記第２ストロークスイッチがオンされると撮影が行われ、
前記第３の操作工程により前記視線検出工程が有効で視線選択モードが選択された状態で、前記第１ストロークスイッチがオンされると、視線選択された測距点付近の画像が表示手段の画面全体に表示され、さらに続けて、前記第２ストロークスイッチがオンされると撮影が行われることを特徴とする撮像方法。
【請求項２０】  撮影画像を表示可能な表示手段を持ち、脱着可能な記録媒体に撮影画像を記録するようにした撮像方法であって、
前記記録媒体に撮影画像を記録する以前に、表示手段において画像を確認し得るようにしたことを特徴とする撮像方法。
【請求項２１】  請求項１〜１４のいずれか１項に記載の撮像装置を構成する各手段としてコンピュータを機能させるためのプログラムを格納した記憶媒体。
【請求項２２】  請求項１５〜２０のいずれか１項に記載の撮像方法を構成する工程がコンピュータから読み出し可能に格納されている記憶媒体。